(57)【要約】【課題】  光学式ピックアップよりディスクに対して信号の記録再生動作を行う光ディスク記録再生装置のレーザー出力設定方法を提供する。【解決手段】  ディスク１に設けられている試し書き領域にテスト信号をレーザー出力を変更しながら記録した後記録されたテスト信号を再生し、再生されたテスト信号の記録品位を検出することによりレーザー出力を設定するとともに繰り返し記録動作を行うことが出来る光ディスク記録再生装置であって、レーザー出力の設定動作を行うとき、テスト信号が記録される位置が無使用であるか否かを検出し、無使用である場合にはテスト信号の記録動作を同一個所に対して２回行う。【選択図】    図１
2005115994.tif 000002
【特許請求の範囲】
【請求項１】
ディスクに設けられている試し書き領域にテスト信号をレーザー出力を変更しながら記録した後記録されたテスト信号を再生し、再生されたテスト信号の記録品位を検出することによりレーザー出力を設定するとともに繰り返し記録動作を行うことが出来る光ディスク記録再生装置であって、レーザー出力の設定動作を行うとき、テスト信号が記録される位置が無使用であるか否かを検出し、無使用である場合にはテスト信号の記録動作を同一個所に対して２回行うようにしたことを特徴とする光ディスク記録再生装置。
【請求項２】
テスト信号が記録される位置が無使用であるか否かの検出動作をディスクに記録されているテスト信号カウントデータに基いて行うようにしたことを特徴とする請求項１に記載の光ディスク記録再生装置。
【発明の詳細な説明】
【技術分野】
【０００１】
本発明は、光学式ピックアップより照射されるレーザー光によってディスクに信号を記録するとともにレーザー光によってディスクに記録されている信号の再生動作を行うように構成された光ディスク記録再生装置に関する。
【背景技術】
【０００２】
光学式ピックアップを用いてディスクに記録されている信号の読み出し動作を行うディスクプレーヤーが普及しているが、最近では、再生機能に加えて光学式ピックアップより照射されるレーザー光によってディスクに信号を記録することが出来るように構成された光ディスク記録再生装置が商品化されている。
【０００３】
斯かる光ディスク記録再生装置としては、ディスクへの上書きによる書き換えが可能なオーバーライトと呼ばれる方式が一般的であり、ＣＤ方式の記録ディスクを使用するＣＤ−ＲＷ型の記録再生装置が広く普及している。
【０００４】
光ディスク記録再生装置では、レーザー光によってディスクに信号を記録するように構成されているが、レーザー出力が最適でなかった場合には、信号の記録動作を正確に行うことが出来ない。そのため、斯かる光ディスク記録再生装置に使用されるディスクには、その最内周側に試し書き領域が設けられており、この試し書き領域を利用してディスクへの記録動作を正確に行うことが出来るレーザー出力を設定するための動作を行うようにされている。
【０００５】
斯かるレーザー出力の設定動作は、試し書き領域にテスト信号をレーザー出力を変更しながら記録した後記録されたテスト信号を再生し、その再生されたテスト信号の記録品位を検出することによって行うようにされている(例えば、特許文献１参照。)。
【特許文献１】特開２００２−２１６３５０号公報
【発明の開示】
【発明が解決しようとする課題】
【０００６】
書き換え可能な光ディスク記録再生装置において、レーザー出力の設定動作は、レーザー出力を変更しながらテスト信号をディスクに設けられている試し書き領域に記録し、その記録された信号の出力に対する振幅変化率であるγ値を検出することによって行われている。
【０００７】
このγ値は、同じレーザー出力で記録しても、信号が全く記録されていない位置、即ち無使用位置と、すでに信号が記録されている位置とでは大きく相違するという特性がある。従って、書き換え可能な光ディスク記録再生装置において、試し書き領域にてレーザー出力の設定動作をγ値を検出することによって行った場合、最適なレーザー出力値に設定されないことがある。
【０００８】
本発明は、斯かる問題を解決することが出来る光ディスク記録再生装置を提供しようとするものである。
【課題を解決するための手段】
【０００９】
本発明は、ディスクに設けられている試し書き領域にテスト信号をレーザー出力を変更しながら記録した後記録されたテスト信号を再生し、再生されたテスト信号の記録品位を
検出することによりレーザー出力を設定するとともに繰り返し記録動作を行うことが出来る光ディスク記録再生装置であって、レーザー出力の設定動作を行うとき、テスト信号が記録される位置が無使用であるか否かを検出し、無使用である場合にはテスト信号の記録動作を同一個所に対して２回行うように構成されている。
【発明の効果】
【００１０】
本発明は、レーザー出力の設定動作を行うとき、テスト信号が記録される位置が無使用位置であるか否かを検出し、その位置が無使用位置であった場合には同一個所に２回テスト信号を記録してレーザー出力を設定するようにしたので、正確なレーザー出力の設定動作を行うことが出来る。
【００１１】
また、テスト信号が記録される位置が無使用であるか否かの検出動作をテスト信号カウントデータによって行うようにしたので、判定動作を速やかに行うことが出来る。
【発明を実施するための最良の形態】
【００１２】
本発明は、ディスクの内周側に設けられている試し書き領域へのテスト信号の記録動作を制御することによってレーザー出力の設定動作を正確に行うようにしたものである。
【実施例１】
【００１３】
図１は本発明に係る光ディスク記録再生装置の一実施例を示す回路図、図２は本発明の動作を説明するための説明図である。
【００１４】
まず、図２を参照してディスクの構成について説明する。領域Ａは、ＰＣＡと呼ばれる試し書き領域であり、テスト信号が記録されるテスト信号記録領域Ａ１と、該テスト信号記録領域Ａ１に記録されたテスト信号の回数を示すデータ、即ちテスト信号カウントデータが記録されるカウント領域Ａ２とより構成されている。領域Ａの外周側に設けられている領域Ｂは、ＰＭＡと呼ばれる領域であり、ディスクに記録されているデータの記録位置等の情報が記録されるようにされている。領域Ｂの外周側には、リードイン領域Ｃ、即ちＴＯＣと呼ばれるディスクに記録されているデータの位置を示す信号が記録される領域が設けられ、その外周側にデータ信号が記録されるプログラム領域Ｄが設けられている。また、信号の記録動作を行うことが出来るディスクには、プリグルーブと呼ばれる蛇行した溝が形成されており、この溝より得られるウォブル信号によって信号の記録位置を示す位置情報データを抽出することが出来るように構成されている。
【００１５】
前述したように記録用のディスクは構成されており、斯かるディスクを使用する光ディスク記録再生装置について図１に示したブロック図を参照して説明する。１はスピンドルモーター(図示せず)によって回転駆動されるディスクであり、前述したように構成されている。２はディスク１にレーザー光を照射させるレーザーダイオードやディスク１の信号面から反射されるレーザー光を受ける光検出器が組み込まれている光学式ピックアップであり、ピックアップ送り用モーターによってディスク１の径方向に移動せしめられるように構成されている。
【００１６】
３は前記光学式ピックアップ１に組み込まれている光検出器から得られる信号であるＲＦ信号が入力されるとともに該信号を増幅するＲＦ信号増幅回路であり、波形整形するとともに２値化した信号を出力するように構成されている。４は前記ＲＦ信号増幅回路３を介して得られる光検出器からの信号に基いてフォーカシングコイル及びトラッキングコイルに駆動信号を供給することにより光学式ピックアップ２から照射されるレーザー光をディスク１の信号面に合焦させるフォーカシング制御動作及び該レーザー光を信号面の信号トラックに追従させるトラッキング制御動作を行うピックアップ制御回路である。
【００１７】
５は前記ＲＦ信号増幅回路３によって２値化された信号が入力されるデジタル信号処理回路であり、各種信号の復調動作を行うように構成されている。６は前記デジタル信号処理回路５にて信号処理されたデジタル信号が入力される信号再生用回路であり、ホストとして接続されているコンピューター装置７に再生信号を出力するように構成されている。
【００１８】
８は前記デジタル信号処理回路５にて復調された信号が入力されるとともに前記コンピューター装置７から出力される命令信号に応じて各種の制御動作を行うシステム制御回路である。９は前記システム制御回路８によって動作が制御される信号記録用回路であり、テスト信号やデータ信号をエンコード処理し、レーザー駆動回路１０に対して出力するように構成されている。１１は前記システム制御回路８によって動作が制御されるレーザー出力制御回路であり、前記レーザー駆動回路１０からレーザーダイオードに供給される駆動信号のレベルを制御するように構成されている。
【００１９】
１２はディスク１の内周側に設けられている試し書き領域Ａのテスト信号記録領域Ａ１に記録されたテスト信号を再生することによって得られる信号からγ値を検出することによって記録品位を検出する記録品位検出回路であり、γ値の検出動作は周知の技術を利用することによって行うことが出来るのでその説明は省略する。１３は前記システム制御回路８によって動作が制御される記録位置メモリー回路であり、レーザー出力を変更されながら記録されたテスト信号の位置を示す位置情報データがレーザー出力値を示すデータとともに記憶されるように構成されている。
【００２０】
以上に説明したように本発明に係る光ディスク記録再生装置は構成されているが、次に斯様に構成された回路における再生動作について説明する。ホスト機器として光ディスク記録再生装置と接続されているコンピューター装置７から光ディスク記録再生装置を構成するシステム制御回路８に対して再生動作を行うための命令信号が出力されると、該システム制御回路８による再生動作を行うための制御動作が開始される。
【００２１】
斯かる再生動作を行うための制御動作が開始されると、レーザー出力制御回路１１に対する制御動作及び該レーザー出力制御回路１１によるレーザー駆動回路１０に対する制御動作が行われ、レーザーダイオードには信号の読み出し動作を行うためのレーザー出力が得られる駆動電流が供給される。また、ディスク１を回転駆動するスピンドルモーターの回転制御動作が行われるが、斯かるスピンドルモーターの回転制御動作は、ディスク１より得られるウォブル信号をデコードして得られる同期信号と基準信号生成回路(図示せず)より出力される基準信号とを比較することによりディスク１を線速度一定にて回転駆動するように行われる。そして、斯かる制御動作は、後述する信号の記録動作時にも同様に行われる。
【００２２】
スピンドルモーターの回転制御動作は、以上の如く行われるが、信号の読み出し動作を行う光学式ピックアップ２では、ピックアップ制御回路４によるフォーカシング制御動作及びトラッキング制御動作が開始されて該光学式ピックアップ２によるディスク１からの信号の読み出し動作が開始されるが、データ信号の再生動作に先立ってディスク１のリードイン領域Ｃに記録されているＴＯＣデータの読み出し動作が行われる。
【００２３】
ディスク１のリードイン領域Ｃに記録されているＴＯＣデータの読み出し動作が行われると、該ＴＯＣデータに基いて所望するデータが記録されている位置を認識することが出来るので、光学式ピックアップ２を所望するデータが記録されている位置まで移動させることが出来る。斯かる移動動作が行われると、光学式ピックアップ２による信号の読み出し動作が開始される。
【００２４】
光学式ピックアップ２によって読み出された信号は、ＲＦ信号増幅回路３によって増幅
された後２値化されてデジタル信号処理回路５に入力される。斯かる信号がデジタル信号処理回路５に入力されると、該デジタル信号処理回路５による信号の復調動作が行われる。前記デジタル信号処理回路５により信号処理が行われて情報データが抽出されると、該情報データは誤り訂正等の信号処理が行われた後、信号再生回路６に入力される。斯かる信号が信号再生回路６に入力されると、インターフェース回路を通して再生信号がコンピューター装置７に出力されることになり、コンピューター装置７はディスク１に記録されている所望のデータ信号を受信することが出来る。
【００２５】
以上に説明したように本実施例における再生動作は行われるが、次にディスク１への記録動作について説明する。ディスク１に信号を記録する動作は、まずディスク１に設けられている試し書き領域Ａを使用したレーザー出力の設定動作を行うことによって行われるが斯かる動作については後述する。
【００２６】
レーザー出力の設定動作が行われると、ディスク１に設けられているＰＭＡ領域Ｂに記録されている情報データ、即ちプログラム領域Ｄに記録されている信号の位置情報等を読み出す動作が行われる。このようにして読み出された情報データによってディスク１に設けられているプログラム領域Ｄにデータ信号の記録動作が可能であるか、また記録動作を行う位置は何処か等の認識動作が行われ、その認識動作に基いて得られた記録開始位置である所望の位置に光学式ピックアップ２を移動させてデータ信号の記録動作が開始される。斯かる記録動作は、レーザー制御回路１１によって設定された駆動信号がレーザー駆動回路１０からレーザーダイオードに供給されることによって行われる。また、記録信号であるデータ信号は、信号記録用回路９によってエンコード処理された後レーザー駆動回路１０に印加されて、ディスク１に記録されることになる。
【００２７】
以上に説明したように本実施例における信号の記録動作は行われるが、次に本発明の要旨であるレーザー出力の設定動作について説明する。レーザー出力の設定動作は、光学式ピックアップ２を試し書き領域Ａのカウント領域Ａ２に移動させて該領域Ａ２に記録されているテスト信号カウントデータを読み出すことにより行われる。斯かる動作を行うことによってテスト信号記録領域Ａ１に無使用の記録領域があるか否かの判定を行うことが出来るとともに無使用位置を使用してレーザー出力の設定動作を行うことが出来るという判定動作を行うことが出来る。
【００２８】
斯かる判定動作によって無使用位置を使用することによるレーザー出力の設定動作を行うことが出来ると判定された場合には、光学式ピックアップ２をテスト信号記録領域Ａ１の無使用位置に移動させる動作が行われる。斯かる動作によって光学式ピックアップ２をテスト信号を記録させる位置に移動させると、レーザー出力制御回路１１によるレーザー駆動回路１０に対する制御動作が行われ、レーザー出力を例えば段階的に変更しながらテスト信号の記録動作が行われる。
【００２９】
レーザー出力の変更動作を行いながらテスト信号のテスト信号記録領域Ａ１への記録動作が行われるが、このときテスト信号の記録位置とそのレーザー出力値を示すデータとが記録位置メモリー回路１３に記憶される。そして、レーザー出力が所定段階変更されてテスト信号が記録されると、光学式ピックアップ２をテスト信号の記録動作が開始された位置に移動させるとともに同一のレーザー出力から段階的に変更させながらテスト信号の記録動作を開始させる。斯かる記録動作は、前記記録位置メモリー回路１３に記憶されているデータに基いて行われる。斯かる動作が行われる結果、テスト信号が同一の記録条件にてテスト信号記録領域Ａ１の同一の個所に２回連続して記録されることになる。
【００３０】
斯かるテスト信号の記録動作が終了する光学式ピックアップ２をテスト信号の記録動作を開始させた位置に移動させた後記録されたテスト信号の再生動作を行う。斯かる再生動
作によって読み出されるテスト信号は、ＲＦ信号増幅回路３に入力されて増幅されるが、このようにして得られる信号に基いて記録品位検出回路１２によるγ値の検出動作が行われる。そして、このようにして得られるγ値から最適なγ値が得られた再生信号が得られたテスト信号が記録されている位置を認識し、その位置に記録したレーザー出力値に対応したデータを得ることが出来る。従って、得られたデータに基くレーザー出力がディスク１の特性に最も適した記録用のレーザー出力であると設定されることになる。
【００３１】
前述したようにカウント領域Ａ２に記録されているテスト信号カウントデータによりテスト信号記録領域Ａ１に無使用の記録領域があると判定された場合の動作は行われるが、テスト信号記録領域Ａ１が全て使用されている場合には、カウント領域Ａ２に記録されているテスト信号カウントデータより無使用位置がないことを認識することが出来る。この場合には、使用位置をテスト信号を記録することによってレーザー出力の設定動作を行うことになるので、レーザー出力設定のためのテスト信号の記録動作は、通常の設定動作と同じく１回のみ行われることになる。
【図面の簡単な説明】
【００３２】
【図１】本発明に係る光ディスク記録再生装置の一実施例を示す回路図である。
【図２】本発明の動作を説明するための説明図である。
【符号の説明】
【００３３】
２        光学式ピックアップ
３        ＲＦ信号増幅回路
４        ピックアップ制御回路
５        デジタル信号処理回路
７        コンピューター装置
８        システム制御回路
１０        レーザー駆動回路
１１        レーザー出力制御回路
１２        記録品位検出回路
１３        記録位置メモリー回路
【図１】
2005115994.tif 000003
【図２】
2005115994.tif 000004